(57)【要約】【課題】本発明はコンパートメント（１０）を有している液体状のマイクロシステムでインピーダンスを測定する方法及び測定装置に関する。【解決手段】集束は、少なくとも２つの集束電極（３０）に加えられる誘電泳動力による、コンパートメントに流れる液体への、少なくとも１つの粒子の移動を含む。
2005534911.tif 000002
【特許請求の範囲】
【請求項１】
コンパートメントを有している液体状のマイクロシステムでインピーダンスを測定する方法であって、前記コンパートメントに、少なくとも１つの懸濁された粒子を有している液体の流れを貫流され、前記コンパートメントでは、少なくとも１つのインピーダンス検出器が設けられており、該インピーダンス検出器を用いて、前記少なくとも１つの粒子を検出するために、少なくとも１つのインピーダンス値が検出され、このインピーダンス値は、前記コンパートメントのインピーダンスに特徴的であり、前記少なくとも１つの粒子の存在により、所定の方法で変化され、前記少なくとも１つの粒子の集束が前記インピーダンス検出器に対し所定の間隔でなされる方法において、
前記集束は、少なくとも２つの集束電極により加えられる誘電泳動力による、前記コンパートメントに流れる液体への、前記少なくとも１つの粒子の移動を含むことを特徴とする方法。
【請求項２】
前記集束は、前記インピーダンス検出器に対し上流でなされる、請求項１に記載の方法。
【請求項３】
前記集束は、前記インピーダンス検出器の直ぐ近くでなされる、請求項１に記載の方法。
【請求項４】
前記集束は、前記流れる液体の部分領域への前記少なくとも１つの粒子の移動を含み、前記部分領域の、前記コンパートメントの壁部への垂直方向の投影線上に、前記インピーダンス検出器が設けられている、請求項1又は２に記載の方法。
【請求項５】
前記集束は、前記少なくとも１つの粒子の移動を含み、前記粒子と前記インピーダンス検出器との垂直方向の間隔が狭められる、前記すべての請求項のいずれか１に記載の方法。
【請求項６】
合成の又は生物学的な粒子が、前記インピーダンス検出器の傍を通過する、前記すべての請求項のいずれか１に記載の方法。
【請求項７】
前記少なくとも１つのインピーダンス値は、その時々に近くを通過する前記粒子の誘電特性に関して評価される、前記すべての請求項のいずれか１に記載の方法。
【請求項８】
多数のインピーダンス値が検出され、これらインピーダンス値の時間経過が、前記粒子の通過の時点、方向及び／又は速度に関し評価される、前記すべての請求項のいずれか１に記載の方法。
【請求項９】
前記インピーダンス値の時間経過から、前記液体の流速が検出される、請求項８に記載の方法。
【請求項１０】
前記インピーダンス値は、前記インピーダンス検出器によって検出され、その時々に検出される前記粒子は前記インピーダンス検出器の複数の検出電極の近くを通過し、前記複数の検出電極のうちの少なくとも１の形状が、前記液体の流れ方向に平行な方向で変化する、請求項８又は９に記載の方法。
【請求項１１】
前記インピーダンス値は、前記インピーダンス検出器によって検出され、前記その時々に検出される粒子は、前記インピーダンス検出器の複数の検出電極の近くを通過し、該検出電極は、前記コンパートメントの、互いに向かい合っている側に設けられており、種々の形状を有している、請求項８乃至１０のいずれか１に記載の方法。
【請求項１２】
前記インピーダンス値は、前記インピーダンス検出器及び流れ方向に間隔をあけて設けられている少なくとも１つの他のインピーダンス検出器によって、検出される、請求項８乃至１１のいずれか１に記載の方法。
【請求項１３】
前記少なくとも１つの粒子の集束及び前記少なくとも１つのインピーダンス値の測定は、異なった周波数でなされる、前記すべての請求項のいずれか１に記載の方法。
【請求項１４】
液体状のマイクロシステムでインピーダンスを測定するための測定装置であって、
前記マイクロシステムの、流れる液体が貫流するコンパートメントに設けられているインピーダンス検出器と、
少なくとも１つの粒子を前記インピーダンス検出器の付近に移動させることができる集束手段とを具備する測定装置において、
前記集束手段は、誘電泳動力を前記少なくとも１つの粒子に加えるための少なくとも２つの集束電極を有し、これら集束手段は、前記コンパートメントに漏斗状の場のバリヤを形成することを特徴とする測定装置。
【請求項１５】
前記集束手段は、前記インピーダンス検出器に対し上流に設けられている、請求項１４に記載の測定装置。
【請求項１６】
前記インピーダンス検出器は、前記集束手段の部分である、請求項１４に記載の測定装置。
【請求項１７】
少なくとも２対の集束電極が、前記コンパートメントの向かい合っている壁部に設けられており、前記漏斗状の場のバリヤを形成する、請求項１４乃至１６のいずれか１に記載の測定装置。
【請求項１８】
前記集束電極は、流れ方向で異なる長さを有している、請求項１４乃至１７のいずれか１に記載の測定装置。
【請求項１９】
前記インピーダンス検出器は、少なくとも２つの検出電極を有し、これら検出電極は前記コンパートメントの１つの壁部又は種々の壁部に設けられている、請求項１４乃至１８のいずれか１に記載の測定装置。
【請求項２０】
前記複数の検出電極のうちの少なくとも１が、流れ方向に平行な基準方向で、不均一な形状を有し、あるいは、２つの検出電極が、流れ方向に平行な基準方向で、種々の形状を有している、請求項１９に記載の測定装置。
【請求項２１】
前記少なくとも１つの検出電極は、少なくとも１つの三角形、少なくとも１つのストリップ-面の組合せ及び／又は少なくとも１つの電極構造体を含む構成を有している、請求項２０に記載の測定装置。
【請求項２２】
前記少なくとも１つの電極構造体は、電極開口部又は電極パッシング層を有している、請求項２１に記載の測定装置。
【請求項２３】
前記少なくとも１つの電極構造体は、少なくとも１つの検出電極によって形成されており、該検出電極の面には部分電極が組み込まれている、請求項２１に記載の測定装置。
【請求項２４】
前記部分電極は、該部分電極を有している前記検出電極の面への前記粒子の垂直方向の投影の大きさと実質的に同じであるか、この大きさよりも小さい特徴的な大きさを有している、請求項２１乃至２３のいずれか１に記載の測定装置。
【請求項２５】
前記インピーダンス検出器は、少なくとも２つの検出電極を有し、これら検出電極は、前記コンパートメントの少なくとも１つの壁部に設けられており、このコンパートメントの幅に亘って流れ方向に対し直角方向に延びている、請求項１９乃至２４のいずれか1に記載の測定装置。
【請求項２６】
前記複数の検出電極は、真っ直ぐな電極ストリップを有し、これら電極ストリップは、流れ方向に平行方向に、前記コンパートメントの複数の壁部に上下に設けられており、流れ方向に直角方向にずれて設けられている前記電極ストリップは、異なった幅及び／又は構造化の縁部を有している、請求項２５に記載の測定装置。
【請求項２７】
少なくとも１つの、他の、流れ方向に間隔をあけて設けられているインピーダンス検出器が設けられている、請求項１４乃至２６のいずれか1に記載の測定装置。
【請求項２８】
前記少なくとも１つのインピーダンス検出器は、前記集束手段を作動させる際の周波数を濾過することができる周波数フィルタを有している、請求項１４乃至２７のいずれか1に記載の測定装置。
【発明の詳細な説明】
【技術分野】
【０００１】
本発明は、液体状のマイクロシステムでインピーダンスを測定するための方法、特に、インピーダンスの測定によって液体状のマイクロシステムで粒子を検出するための方法及びこのような方法を実施するための測定装置に関する。
【背景技術】
【０００２】
生物学細胞をいわゆるクールター計数器原理でカウントすることは知られている。この場合、細胞は２つの空間の間の小さな開口部を通って移動される。これらの空間には２つ電極が設けられている。複数の電極の間の電気抵抗の変化の際に、細胞は開口部で検出かつカウントされる。この原理は、まず、巨視的な液体状のシステム（ｍｍ乃至ｃｍの範囲の典型的なパイプ型ディメンション）のために開発され、液体状のマイクロシステムに益々用いられた（WO 00/37628，Ｓ・ガワット等「医学及び生物学におけるマイクロ技術に関するIEEE-EMBSの会議」（２０００年、フランス、リヨン）及びＭ・コッホ等『J. Micromech. Microeng.』（第９巻、１９９９年、１５９−１６１頁）を参照せよ）。
【０００３】
例えば、WO 00/37628には、細胞を透過するための（又は細胞を融合するための）マイクロシステムが記載されている。このマイクロシステムには、透過の前に、電気抵抗測定によって細胞の検出がなされる。寸法に従って細胞を透過するためには、粒子は、マイナスの誘電泳動によって、その寸法に従って、マイクロシステムの種々の部分流路に運ばれる。各々の部分流路では、粒子は、流れる液体と共に、抵抗測定がなされる電極対の傍らを移動される。WO 00/37628に記載の検出技術の欠点は、粒子が各々の電極対へ向けられないということである。集束は提案されていない。従って、検出信号は減じられた再現性を有している。検出は信頼性がない。
【０００４】
ガワット等によって、同様に、平面状のインピーダンス・センサ又は電極対が、マイクロシステムのコンパートメントの向かい合っている壁に用いられる。細胞は、センサの方に向けるために、ノズル（例えば、２０μｍ・２０μｍの横断面を有している流路）によって運ばれる。その目的は、良好に評価可能なインピーダンス信号を得るためである。すなわち、インピーダンス方法の信号対雑音比は、実質的に、細胞の半径対流路の横断面比に従う（コッホ等を参照せよ）。しかし、この場合、狭いノズル又は流路が、詰まりの危険性の増大を特徴とする。更に、これらは細胞の流量を減少させる。
【０００５】
更に、液体状のマイクロシステムにおけるインピーダンスの測定を基準電極システムの使用下で実行すること（ガワット等を参照せよ）は知られている。インピーダンスの測定は、通常、数１０ｋＨｚ乃至ＭＨｚの範囲の少なくとも１つの固定周波数で、なされる。複数の周波数の使用によって、検出された細胞に関する追加の情報を得ることができる。単一細胞インピーダンス分光器の場合、所定の周波数スペクトルのためのインピーダンスの測定がなされる（Ｈ・Ｇ・Ｌ・コスター等、『BioElectroChem. BioEnerg.』第４０巻、１９９６年、７９−９８頁を参照せよ）。
【０００６】
詰まりの危険性を回避することができるのは、ノズルの代わりに、流体力学的な集束手段が設けられているときである。しかし、流体力学的な集束手段の原理的な欠点は、複数の測定電極が、通常、流路の壁部に取着されているが、集束手段が縁部領域では不可能であるか、大きな技術的コストをもってのみ実現されることにある。流体力学的な集束手段は、更に、限定的にしか使用できない。この集束手段は、特に、システムの形状寸法（流路の僅かな長さ）又は僅かなポンプ率によって妨げられる。更に、集束手段の場合、流体力学的応力が生じる。この流体力学的応力は、特に、敏感な生物学細胞の場合に、望ましくない。
【０００７】
独自に実現されるか、インピーダンスの測定と組み合わされる他の検出原理も知られている。例えば、光学式方法は、検出される粒子の光散乱の測定に基づいている。しかし、このことは、マイクロシステムに所定の形状寸法及び透明な壁部材料の使用を前提とする。磁気的な集束手段の場合、外部の磁界によって細胞の測定電極への接近がなされる。しかし、この目的のためには、細胞に、磁気的な粒子が結合されねばならない。更に、これらの粒子は、インピーダンス分光的な測定にとって欠点である。局部的な加熱手段による熱的集束手段も欠点である。何故ならば、この場合、細胞が望ましくない温度変化に晒されるからである。
【発明の開示】
【発明が解決しようとする課題】
【０００８】
本発明の課題は、液体状のマイクロシステムでインピーダンスを測定するための改善された方法であって、従来の検出方法の欠点を解消し、検出電極の付近で粒子の改善された集束を可能にする方法を提供することである。本発明の課題は、また、液体状のマイクロシステムでのインピーダンスの測定を、粒子をカウントするのみならず、該粒子に関する詳しい情報を得るように改善することである。更に、本発明の課題は、液体状のマイクロシステムでインピーダンスを測定するための改善された測定装置を提供することである。
【課題を解決するための手段】
【０００９】
この課題は、請求項１又は１４に記載の特徴を有している方法及び測定装置によって解決される。本発明の好都合な実施の形態及び使用は、従属請求項から明らかである。
【００１０】
本発明の基本思想は、液体状のマイクロシステムのコンパートメントで少なくとも１つのインピーダンス検出器によって検出されることが意図される懸濁された粒子を、コンパートメントで作用する、誘電泳動による電場の力の、その作用の下で、インピーダンス検出器の付近に集束させることにある。少なくとも２つの集束電極によって、高周波数の電場が発生される。この電場の作用の下で、マイナスの誘電泳動によって、粒子は、コンパートメント内の液流に対し流れの部分領域に移動され、従って、所定の方法で、インピーダンス検出器に対し位置決めされる。粒子は、コンパートメント内で、誘電泳動による集束によって定められる所定の経路に沿って、インピーダンス検出器の傍らを通過される。インピーダンス検出器を少なくとも２つの集束電極と本発明に基づいて組み合わせることによって、従来の集束技術の欠点が解消される。機械的な又は流体力学的な力による望ましくない負荷が回避される。更に、誘電泳動的による集束を、その時々に検出される粒子に最適に適合させることができる。
【００１１】
本発明に基づき、少なくとも１つのインピーダンス検出器によってインピーダンスの測定がなされる。このインピーダンス検出器は、液流が貫流する、マイクロシステムのコンパートメントに設けられている。コンパートメントは、一般的には、マイクロシステム内のパイプ構造、例えば流路又は液流が貫流するリザーバである。コンパートメントの典型的な横断面寸法は、例えば、２００μｍ乃至８００μｍ（幅）、２０μｍ乃至１００μｍ（高さ）の範囲にある。コンパートメントは、固い材料（例えば、半導体、セラミック、プラスチック等）からなるチップ本体に形成されている。少なくとも１つのインピーダンス検出器は、少なくとも２つの検出電極を有し、該検出電極は、コンパートメントの１つの壁部又は種々の壁部に取着されている。本発明に係わる、粒子の、誘電泳動による集束は、一般的に、流れの部分領域（流れ区分）への粒子の移動を含む。この部分領域では、粒子は、インピーダンス検出器の傍らの通過の際に、複数の検出電極のうちの１からの所定の、好ましくは狭められた間隔を有している。
【００１２】
本発明では、集束はインピーダンス検出器に対し上流でなされることができる。この実施の形態は、集束電極と検出電極の別々の起動の故に、好都合であり得る。その代わりに、インピーダンス検出器での集束がなされることができる。この場合、複数の利点は、簡単な電極構造によって生じることができる。
【００１３】
本発明の第１の好都合な実施の形態では、誘電泳動による集束は、流れの部分領域（例えば、流れの中央）への移動を含む。この部分領域は、コンパートメントの向かい合っている壁部に設けられた２つの検出電極の間の接続線上にあるか、部分領域の、コンパートメントの壁部への垂直方向の投影線上に、少なくとも１つの検出電極が設けられている。この移動は、すべての粒子が、ノズル状に又は漏斗状に形成された場のバリヤを通るように、所定の窓で、少なくとも検出電極の傍らを通過するという利点を有している。従来の技術と異なって、窓での通過は、機械的な硬い部材同士の接触なしに、及び流れの集束する力を回避しつつなされる。かくて、信号対騒音比（ＳＮＲ）の改善が達成されることは好都合である。検出電極の傍らでの、側方にずれた通過が回避される。その代わりに又は追加して、誘電泳動による集束は、粒子の移動を含むことができる。それ故に、複数の検出電極のうちの少なくとも１の傍らを通過する粒子の垂直方向の間隔が狭められる。この場合、検出電極の傍らにおける粒子の通過の、垂直方向の間隔は、所定の方法で、調整される。
【００１４】
本発明では、粒子の集束は、１つの壁部、例えばコンパートメントの底部に設けられている少なくとも２つの集束電極によって、なされる。２つの電極によって、粒子を、コンパートメントの向かい合っている壁部の方に検出器付近に移動することができる。このことが好都合であり得るのは、例えばインピーダンスの分光のために、増大した測定時間（又は：低下した流速）が望ましい場合である。このことは流れの縁部で与えられている。
【００１５】
その代わりに、３つの集束電極を用いることができる。これらの集束電極のうち２つがコンパートメントの１つの壁部に、細まり状態で、例えば、漏斗状の場のバリヤを形成するために、設けられている。第３の電極は、対電極として、コンパートメントの向かい合う壁部に設けられている。この実施の形態は好都合であり得る。何故ならば、コンパートメント内での３次元の集束は、比較的少ない電極数によって達成されるからである。
【００１６】
しかし、本発明を２つの集束電極対により実現することは特に好ましい。これらの集束電極対はコンパートメントの向かい合う側（例えば、底部、上面）に設けられている。
【００１７】
各々の集束電極対は、例えば、細まりの電極ストリップの形の、２つの集束電極からなる。２つの集束電極対の使用は、漏斗状の場のバリヤによる径路の調整のために、好都合であり得る。
【００１８】
本発明の他の実施の形態では、少なくとも１つの測定されたインピーダンス値は粒子の存在に関してのみならず、その時々に検出される粒子の誘電特性に関しても評価される。従って、流れる粒子に関する追加の情報、例えば細胞の生命力状態等に関する情報を得ることができる。
【００１９】
本発明の他の好都合な実施の形態では、少なくとも１つのインピーダンス検出器によって、多数のインピーダンス値が検出され、該インピーダンス値の時間経過が、少なくとも１つの粒子の、インピーダンス検出器の傍らでの通過の時点、方向及び／又は速度に関して評価される。かくて、従来のインピーダンス-粒子カウントの適用領域が、粒子の又はマイクロシステムの他の特徴の検出に拡大されることは好都合である。この目的のために、非対称の電極の形状が実現化される。この形状は、一般的には、電極の形状が通過方向又は流れ方向に平行な方向で、通過方向又は流れ方向に垂直な軸に関して鏡面対称的でないことを特徴とする。
【００２０】
各々の検出電極を有しているインピーダンス検出器が用いられ、該検出電極が流れ方向に関して非対称的な電極の形状を常に特徴とするとき、簡単化された構成の場合に、インピーダンス値の時間経過から前記測定値を導き出す可能性が生じる。互いから離隔して設けられた複数のインピーダンス検出器が用いられるとき、非対称的な電極形状は不必要である。
【００２１】
本発明の好ましい実施の形態では、インピーダンス値が、検出電極を有しているインピーダンス検出器によって検出され、複数の検出電極のうちの少なくとも１の形状が、液体状の流れ方向に平行な方向で変化し及び／又は複数の検出電極がコンパートメントの向かい側に設けられており、種々の形状を有していることが提案されている。かくて、１つのインピーダンス検出器のみによって、粒子の通過の間に、インピーダンスの変化の時間依存性を記録しかつ評価することができる。
【００２２】
本発明の主題は、液体状のマイクロシステムでインピーダンスを測定するための測定装置であって、マイクロシステムの、液流が貫流するコンパートメントに設けられている少なくとも１つのインピーダンス検出器と、コンパートメントを流れる懸濁された粒子に誘電泳動力を加えるための少なくとも２つの集束電極を有している少なくとも１つの集束手段とを具備する測定装置でもある。少なくとも２つの集束電極の準備は、粒子を集束するための漏斗状の場のバリヤの形成を可能にし、以下の利点、すなわち、フルイディクス・チップに基づいて本発明に係わる測定装置を知られた流体状のマイクロシステムに最適に組み込むことができるという利点を有している。
【００２３】
測定装置の好都合な実施の形態では、集束手段は、漏斗状の場のバリヤをコンパートメントに形成する少なくとも２対の集束電極を有している。場のバリヤは、高周波の場の分配によって形成される。これらの場は集束電極から出て、誘電泳動による押出し力を粒子に加える。漏斗状の場のバリヤは以下の場の分配を特徴とする。この場の分配は、（例えばコンパートメントの中央における）場の極小（Feldminimun）を除いて保持力を形成し、それ故に、粒子は液流と共に通過することができず、場の極小によって強制される。漏斗状の場のバリヤによって、粒子が所定の位置でインピーダンス検出器を通過することができることは好都合である。
【００２４】
インピーダンス検出器は常に少なくとも２つの検出電極を有している。好ましくは平面状の形状を有しているこれらの検出電極は、コンパートメントの１つの壁部に又は種々の、例えば向かい合った壁部に取着されている。複数の平面状の検出電極のうちの１が流れ方向に対し不均一な形状を有しているとき、インピーダンス検出器は、インピーダンス値の時系列の記録の際に、検出された粒子又はマイクロシステムに関する追加の情報を供給する。検出電極の形状は、検出電極の外形によって又は構造によって決められる。該外形は、例えば、四角形の、卵形の、矩形の、又は円形の形状あるいは、これらの形状から構成された形状を含む。構成としては、例えば電極開口部又はパッシベーション層が電極に設けられている。その代わりには、インピーダンス検出器自体が、流れ方向に不均一な又は非対称的な形状を有してもよい。何故ならば、検出電極は、種々に形成され又は互いにずれて設けられているからである。この実施の形態でも、１つの粒子の通過の際の、複数の検出電極の間の容量の変化は、特徴的な時間依存性を有している。この時間依存性は、インピーダンス値中に、例えば流れ方向に関する、追加の情報を供する。
【００２５】
少なくとも１つの電極構造体が少なくとも１つの検出電極によって形成され、この検出電極の面には部分電極が組み込まれているとき、特に高い感度で測定がなされることは好都合である。この場合、部分電極が特徴的な大きさを有していることは好ましい。この大きさは、部分電極を有している検出電極への通過する粒子の垂直方向の投影の大きさと同じであるか、その大きさよりも小さい。
【００２６】
インピーダンス検出器が、コンパートメントの少なくとも１つの壁部に設けられておりかつコンパートメントの幅に亘って流れ方向に直角に延びている少なくとも２つの検出電極を有しているとき、インピーダンス検出器の特に簡単な構造が生じる。この場合、複数の検出電極が真っ直ぐな電極ストリップによって形成されていることは好ましい。これらの電極ストリップは流れ方向に平行にコンパートメントの複数の壁部に上下に設けられており、種々の幅及び／又は構造化の縁部を有している複数の電極ストリップを具備する。構造化の縁部は流れ方向に直角にずれて設けられている。
【００２７】
本発明は以下の利点を有している。誘電泳動による集束は、細胞の検出のための使用の際には、特に保護する。集束を、粒子の種類の交換の際に又は運転条件の際に、容易に変化することができる。測定装置は、知られたパッシベーション技術によって、知られたフルイディクス・チップの部分として製造される。
【００２８】
本発明の他の詳細及び利点は、添付された図面の以下の記載から読み取れる。
【発明を実施するための最良の形態】
【００２９】
図１乃至４は、液体状のマイクロシステムの１つの流路に夫々設けられている集束手段及びインピーダンス検出器の、本発明に係わる組合せの、異なった実施の形態を示す。特に生物学細胞を操作するための、液体状のマイクロシステムは知られているので、ここでは詳述しない。
【００３０】
図１は、マイクロシステムの流路１０を平面図（ａ）及び側面図（ｂ）で示す。流路１０は、側壁１１，１２、底部１３及び上面１４によって区画されている。側壁１１、１２の面間の間隔は好ましくは１００μｍ乃至１ｍｍの範囲、例えば２００乃至８００μｍ（流路の幅）の範囲にあり、他方、底部１３と上壁１４の面との間の間隔は好ましくは約５μｍ乃至２００μｍであり、例えば２０乃至１００μｍ（流路の高さ）である。流路１０には液流が矢印方向に貫流している。液流は、典型的には、図示した速度分布１５を有し、かつ例えば２０μｍ／ｓ乃至２０ｍｍ／ｓの範囲の流速を有している層流である。液流には粒子１６が懸濁されている。粒子を本発明に係わる方法で検出することが意図されている。粒子１６は、液体と同一の速度で流れ方向に移動する。本発明に係わる集束の前に、粒子は液体に対し静止している。
【００３１】
粒子１６は、例えば合成の粒子（例えば合成物質ビーズ）又は生物学細胞又は細胞成分又は生物学的に重要な有機高分子を含んでいる。
【００３２】
流路（又はコンパートメント）１０には、本発明に係わる測定装置２０が設けられている。この測定装置は、誘電泳動式の集束手段３０及びインピーダンス検出器４０を有している。集束手段３０は、インピーダンス検出器４０に対し上流に設けられている。流路の側壁は、集束手段３０とインピーダンス検出器４０との間で連続的であり、側方の開口部を有していない。
【００３３】
集束手段３０は、少なくとも２つの集束電極３１，３２を有している。図示した実施の形態では、２対の集束電極３１乃至３４が設けられている。これら集束電極のうち、第１の対の収束電極３１，３２は、例えば上壁１４の面に設けられており、第２の対の収束電極３３，３４は、底部１３に設けられている。各々の集束電極は真っ直ぐな電極ストリップを有している。各々の電極ストリップは、上壁１４又は底部１３で、流路縁部から流路中央へ向けられている。これらの集束電極の端部３５は互いに離隔している。各々の集束電極は、接続線（図示せず）を介して、（高周波電圧源を有している）制御手段に接続されている。
【００３４】
インピーダンス検出器４０は、流れ方向で、好ましくは、集束手段３０から１０μｍ乃至２ｍｍの範囲の間隔をあけて設けられている。インピーダンス検出器は少なくとも２つの検出電極４１，４２を有し、これらの検出電極は流路１０の底部１３及び上壁１４に設けられている。各々の検出電極４１，４２は、電解質での従来のインピーダンス測定について知られているように、構成されていてもよい。これらの検出電極が、夫々、非対称的な又は不均一な形状を有している平らな電極面を有していることは好ましい（下を参照せよ）。
【００３５】
粒子１６は、液体と共に一般的には非整然と流路１０の中を流れて、遂には、集束手段３０に達する。この集束手段には、電圧印加が同形の場合には、集束電極３１乃至３４によって、漏斗状の場のバリヤが形成される。この場のバリヤは流れ方向に狭まる。集束電極３１乃至３４の端部３５は、粒子１６が通り抜けることができる場の極小があってなる四角を規定する。続いて、粒子１６は、流れの部分領域では、場の極小の位置に応じて、例えば流路の中央で並べられる。この並びで、粒子は検出電極４１，４２を通過する。該検出電極では、知られた原理に基づいてインピーダンスの測定がなされる。
【００３６】
図１に示した構造では、対称的な集束電極３１乃至３４によって、集束が、流路の中央で、水平方向すなわち側壁１１、１２の面間の中央で並びに垂直方向すなわち底部１３と上壁１４の面間の中央でなされる。常に夫々水平方向及び垂直方向に集束することは必要不可欠というわけではない。粒子１６が流路中央で集束された状態で並べられることも必要不可欠というわけではない。一般的には、粒子１６が並べられている、流れの部分領域は、検出電極４１，４２を有している底面及び上面への垂直方向の投影の際に、並べられている。垂直方向では、集束は電場の力と重力の間のバランスから生じる。電場の力と重力が同一に作用するとき、粒子１６は、バランスにあって、底部１３と上壁１４の面との間に並べられている。その代わりに、他のバランス位置を、特に、場のバリヤの形状及び／又は高さによって、調整することができる。場のバリヤは集束電極３１乃至３４によって形成される（図４も参照せよ）。
【００３７】
集束及び検出は，夫々、高周波数電圧の使用中になされる。集束及び検出の、場合によって妨害的な相互影響を、回避することができることは、発明者の重要なかつ意外な知識の一部をなす。このためには、少なくとも１つの粒子の集束及び少なくとも１つのインピーダンス値の測定は種々の周波数の場合になされる。例えば種々の（分離した）周波数範囲が用いられる。細胞を保護するような集束を、数１００ｋＨｚより上の集束周波数の使用によって達成することができる。インピーダンスの測定のためには、この範囲を除外することができる。インピーダンスの測定が、例えば１００ｋＨｚより下の周波数の場合になされることは好ましい。インピーダンスの測定は、その代わりに、より高い周波数（例えば１ＭＨｚ）の場合になされることができる。その目的は、粒子の内部、例えば細胞内の電解質成分に関する情報を得るためである。これに対応して、集束電極は、一層高い周波数又は場合によってはより低い周波数の場合に、作動されるだろう。その代わりに又は集束と検出の間の更なる分離のために、インピーダンス検出器４０は、周波数フィルタ、例えば低域フィルタ又は帯域フィルタを有していることができる。周波数フィルタによって、集束電極が作動される際の周波数が検出から除かれる。
【００３８】
集束手段３０とインピーダンス検出器４０との間の相互作用を、流れ方向における相互間隔の拡大によっても減少することができる。この間隔が約１０μｍ乃至２ｍｍであることは好ましい。このことが流路１０における流れの層によって可能であることは好都合である。間隔を、例えば、３ｍｍまで拡大することができる。
【００３９】
前記インピーダンス検出器４０は、図２の平面図に示すように、複数の異なった検出電極４１，４２及び４３から構成されていてもよい。底部１３及び上壁１４には、２つの比較的広い検出器電極４１，４２からなる検出電極対が設けられている。２つの検出電極４１，４２は同一の外形を有している。平面略図では、上方の電極４２のみが完全に示されている。図２の下部では、図解の目的で、下方の電極４１が示されている。上方の検出電極４２が電極構造体を有しているのは、上方の検出電極に第３の検出電極４３（部分電極４３）が組み込まれていることによってである。検出電極は、上方の電極４２の電極面のリセスに、上方の電極から間隔をあけて設けられている。この間隔によって、下方の電極４１が部分的に見分けられる。例えば、より大きな検出電極４１，４２は約１２０・１５０μｍの寸法を有し、他方、より小さな単独の部分電極４３は、生物学での典型的な細胞の大きさに対応する例えば２乃至２０μｍの大きさを有している。
【００４０】
図２に示した３つの検出電極４１乃至４３が、図３に示した原理に基づいて接続されていることは好ましい。下方の検出電極４１には、所定の測定周波数を有している駆動電圧が印加される（例えばＵ＜１Ｖ，ｆ＝５０ｋＨｚ）。上方の検出電極４２は大地電位にある。上方の検出電極４２と第３の検出電極（部分電極）４３との間には電気抵抗Ｒが設けられている。この電気抵抗は、コンパートメント内を流れる液体の抵抗に応じた大きさである。測定電圧Ｕは、第３の部分電極４３で、大地電圧に比べて低下される。本発明に係わるインピーダンスの測定は、電圧Ｕが連続的に検出されかつインピーダンスが算出されるように、なされる。粒子が第３の部分電極の上方にあるや否や、この部分電極は遮蔽される。それ故に、電圧Ｕが上昇する。
【００４１】
測定される粒子が小さな部分電極４３の上方に運ばれるとき、かくて、電極４２と４３の間の電位差が生じる。この測定が特に敏感であることは好ましい。何故ならば、高い解像度及び感度の測定範囲が、部分電極４３によって及び仮想開口部によって形成されるからである。従って、部分電極４３が、粒子の電極面への投影よりも好ましくは著しく大きくはないほうがよい。更に、集束電極による正確な集束は好都合である。漏斗状の集束電極との組合せで、かくて、粒子のインピーダンス及び貫通方向を、より高い正確度及び再現性をもって測定することができる（図７を参照せよ）。
【００４２】
図２及び３に示された本発明の実施の形態の利点は、粒子を、小さな第３の電極４３によって高い正確度で運ぶ可能性にある。誘電泳動による集束（dielektrophoretische Fokussierung）によって、従来のクールター・ノズルの代わりに、「仮想の」窓が形成される。この窓は第３の電極４３の方に正確に向けられている。このことによって、特に高い信号対雑音比を達成することができる。
【００４３】
図４（ａ）（平面図）及び４（ｂ）（側面図）では、垂直方向の集束が略示されている。この実施の形態では、インピーダンス検出器４０は、検出電極対４４を有している。該検出電極対は上壁１４にのみ設けられている。集束手段３０として、２対の集束電極３１，３２及び３３，３４が用いられる。これらの集束電極のうち、下方の集束電極３３，３４は、上方の集束電極３１，３２よりも、流れ方向で区間ｄｘだけ長く形成されている。このことによって、場のバリヤは歪まされ、場の極小は流路の中央から上面１４へ移動される。それ故に、粒子１６は、検出電極対４４の付近にある、流れの部分領域へ集束される。粒子１６と検出電極対４４との最小の間隔は、例えば１μｍである。
【００４４】
流れ方向にずれて設けられており又は種々の長さに形成された電極を有している、図４に示した実施の形態は、以下の利点を有していることができる。すなわち、粒子が、不変の（水平の）集束の際に、複数の側面の間で、垂直方向に、電極４４の又は図２では部分電極４３の付近に運ばれ、そこでは、粒子が第１によりゆっくりと動き、第２に、増大されたインピーダンス信号を示すことである。このプロセスは、フィードバック（Rueckkopplung）によって、自己較正で実現されることができる。それ故に、インピーダンス信号が、粒子の通過の際に、複数の電極面のうちの１の振幅の変化によって、流速及び／又は粒子の特性に従って、最適化及び最大化される。
【００４５】
電極のずれた設置の代わりに又はそれに追加して、粒子とインピーダンス検出器の電極との垂直の間隔を調整するためには、集束電極が、２つの電極面の、強さの異なる起動（振幅、周波数）で作動され、及び／又は集束電極が流れ方向に対し種々の角度で形成されていることが提案されていることができる。
【００４６】
本発明では、測定装置は、その上、図４ａ及び４ｂの右部分に略示されている集束ずれ手段５０を有してもよい。集束ずれ手段５０は、粒子を測定後に再度流れ分布全体で分配するか、最大の流速の範囲で増加させるという課題を有している。かくて、（特に生物学細胞の）粒子同士の付着可能性を減じて、流量を増大させることができる。集束ずれ手段５０は、集束ずれ電極５１乃至５４を有している。これらの集束ずれ電極は、上記の原理に似て、液体中の粒子の移動をマイナスの誘電泳動（Dielektrophorese）によって引き起こさせる。
【００４７】
本発明に係わる測定装置の集束電極又は、集束ずれ電極が、所望の場のバリヤに対応する配列を有している電極ストリップとして形成されていることは好ましい。上記実施の形態とは異なり、電極ストリップは、図５の部分図（ａ）に示されているように、（例えば底面における）各々の壁面で湾曲されていてもよい。細まりの電極部分３５，３６には、２つの、真っ直ぐな、平行な電極部分３７，３８が接続している。真っ直ぐな、平行の電極部分が、集束電極の、流れ方向に位置している端部に形成されていることは、場のバリヤの有効性に関して好都合であることができる。
【００４８】
部分図（ｂ）及び（ｃ）では、３つの部分電極からなる集束電極の実施の形態が示されている。例えば図５（ｂ）では、集束電極３１，３２がコンパートメントの上面に設けられており、他方、集束式の対電極３９が底面に設けられている。この配列を用いて、コンパートメント内の３次元的な集束を、３つのみの電極によって達成することができることは好都合である。場のバリヤは、例えば、その時々にずれた位相位置を有している、高周波の交流電圧を供給することによって、発生される。位相位置は、例えば、３１では０°、３２では１２０°、３９では２４０°又は３１では０°、３２では１８０°、３９では大地電圧である。図５（ｂ）に示した配列は、図５（ａ）に示した集束電極の実施の形態で変更可能である（図５（ｃ）を参照せよ）。
【００４９】
本発明の他の実施の形態では、集束電極の配列を、同時に、検出手段として用いることができる。この目的のためには、漏斗状の場のバリヤを発生させるための複数の電極ストリップを、電極の先端が、流れ方向で、ほぼ流路の高さに対応する僅かな間隔を有するように、細まりの状態で集める。（例えば図１に示した）集束電極に、集束すべく高周波数電圧が印加される。インピーダンスは、対角線で、すなわち、例えば、電極３１と３４と又は３２と３３の間で測定される。図５（ｂ）又は５（ｃ）に示した形状では、インピーダンスの測定は電極３１，３２のうちの１と対電極３９との間でなされる。
【００５０】
粒子がインピーダンス検出器の際を通過する際に、測定されたインピーダンス信号は、粒子の及び懸濁液の誘電特性（特に誘電率、導電性）の他に、複数の測定電極の間の粒子のボリューム・フラクションに依存する。測定電極が、例えば図６に示すように、流れ方向に対し不均一に又は非対称的に構成されているとき、粒子が一定の流速で通過する間、時間経過中に不均一なインピーダンス信号が測定される。インピーダンス信号は極大に関して非対称である。曲線コースからは、流速の他に、流れ方向も定めることができる（図７を参照せよ）。不均一な又は非対称的な測定電極を準備するために、これらの測定電極は所定の電極形状及び／又は電極構造体を得る。電極構造体は、電極面に、例えば開口部又は穴を有している。その代わりに、パッシベーション層によってパッシベーションも、電極面に設けられていてもよい。図６（ａ）及び６（ｂ）は、例えば、円形の開口部４５（又はパッシベーション層）を有している電極面４４を示している。本発明に係わるインピーダンス検出器の非対称的な電極面が与えられているのは、有効な電極面が流れ方向に変化するときである。このことは、ここでは、例えば、開口部４５の並設によって与えられている。その代わりに、図６（ｃ）乃至６（ｆ）に示した電極面のバリエーションは外形の変化によっても準備することができる。電極面の縁の囲繞は、三角形の、四角形の、卵形の又は円形の構造を特徴としている。
【００５１】
測定電極は、不活性の、導電性の材料、例えばプラチナ又は金のような金属から形成されている。パッシベーション層は、絶縁材料、例えば二酸化ケイ素から形成されている。
【００５２】
図７は、例えば、図２に示した非対称的なインピーダンス検出器によって記録されたインピーダンス信号の、その時間経過を示している。曲線は、時間に応じたインピーダンス信号（任意の単位）を示している。上方に記した丸は、粒子の、ビデオ制御によって算出された通過を示している。粒子の通過毎に、インピーダンス曲線はその時々の極大に対する特徴的な非対称を示している。極大の両面には２つの副極大（ショルダー）が測定されることができる。これらの副極大のうち、時間経過中で第２のショルダーが、第1のショルダーよりも少ない振幅を有している。このことから、流れ方向が導き出される。複数の極小の間、ショルダーと極大との間の間隔ｄｔからは、更に、流速を導き出すことができる。何故ならば、ｄｔは粒子の通過時間に対応し、測定電極の大きさが知られているからである。
【００５３】
図２又は図６に示した非対称の電極の実施の形態の代わりに、図７に示した特徴は、流れ方向に互いに間隔をあけた複数の測定方法の組合せによっても、検出される。
【００５４】
図８（ａ）及び（ｂ）は、流れ方向に直角に（矢印を参照せよ）流路全体の幅に亘って延びている２つのインピーダンス・センサの実施の形態を示す。例えば、破線で書いた電極４２は、上方に設けられており、実線で書かれた電極４１は下方で上面及び底面（上を参照せよ）に又はその逆に設けられている（概略的に又は拡大して示してある）。粒子の及び特に生物学細胞の通過の際に、これらの検出器によって、非対称的なインピーダンス信号が発生される。該インピーダンス信号によって、粒子が数えられ、あるいはインピーダンス信号は通過の方向の測定を可能にする。
【００５５】
図８に示した構成では、信号対雑音比は上記の単独センサの場合よりも不都合であり得る。しかし、このことは、適切なブリッジ測定装置の使用によって補償されることは好都合である。
【００５６】
本発明に係わるインピーダンスの測定を、以下のように、変更することができる。集束電極は、場のバリヤの所定の経過を準備するためのマイクロシステム技術から知られているように、構成されることができる。集束式の場のバリヤを、電圧の制御及び／又は集束手段における高周波電場の位相によっても、変更することができる。
【図面の簡単な説明】
【００５７】
【図１】本発明に係わる測定装置の実施の形態を示す。
【図２】本発明に係わる測定装置の他の実施の形態を示す。
【図３】本発明に係わる測定装置の他の実施の形態を示す。
【図４】本発明に係わる測定装置の他の実施の形態を示す。
【図５】本発明に基づいて使用された集束電極の種々の実施の形態を示す。
【図６】本発明に基づいて使用された検出電極の種々の実施の形態を示す。
【図７】実験で算出されたインピーダンス曲線の図を示す。
【図８】本発明に基づいて使用された検出電極の他の実施の形態を示す。
【図１】
2005534911.tif 000003
【図２】
2005534911.tif 000004
【図３】
2005534911.tif 000005
【図４】
2005534911.tif 000006
【図５】
2005534911.tif 000007
【図６】
2005534911.tif 000008
【図７】
2005534911.tif 000009
【図８】
2005534911.tif 000010
【国際調査報告】
2005534911.tif 000011
2005534911.tif 000012
2005534911.tif 000013
2005534911.tif 000014
2005534911.tif 000015
2005534911.tif 000016